(57)【特許請求の範囲】
【請求項１】
機枠の前側に装着され遊技盤が設置される本体枠と、前記本体枠の前面に装着され弾球を貯留する球受皿が装着される前覆板と、を備え、前記遊技盤面には遊技部を区画形成するように内レールと外レールとが渦巻き状に敷設され、前記遊技盤下方の前記本体枠の前面に発射位置から前記外レールの始端側へと連なる発射通路が形成され、打球供給装置によって前記発射通路の前記発射位置に供給される弾球を打球発射装置により発射させて前記遊技部に打ち込むようにした弾球遊技機であって、
前記発射通路の上方に該発射通路と平行なガイド部材を配置し、前記発射通路の発射位置下方に前記供給される弾球を載せる球受部材を配置し、前記球受部材の上面は前記発射位置側に下傾しかつ前記本体枠を正面から見て前記ガイド部材の下面との間隔が前記発射位置から前記外レール側へ進むにつれ漸次広がり前記発射通路とは傾斜角度を異ならせており、
前記球受部材の発射位置側の端部と前記ガイド部材の発射位置側の端部との間隔は前記弾球の直径寸法よりも短い隙間寸法に設定され、前記球受部材における前記発射位置の反対側に前記打球発射装置により発射されずに該球受部材から落ちる弾球を前記球受皿に導くファール球通路が形成されていることを特徴とする弾球遊技機。
【発明の詳細な説明】
【技術分野】
【０００１】
本発明は、発射通路の発射位置に供給された弾球を打球発射装置により発射させ遊技盤面の遊技部に打ち込むようにした弾球遊技機に関するものである。
【背景技術】
【０００２】
従来、この種弾球遊技機の代表的なものとしてパチンコ遊技機がある。該パチンコ遊技機は、機枠の前側に装着される本体枠に遊技盤が設置され、該本体枠の前面に弾球を貯留する球受皿が装着される前覆板が軸着されている。前記遊技盤面に遊技部を区画形成するように内レールと外レールとが渦巻き状に敷設され、該遊技盤下方の本体枠の前面に外レールの始端側とファール球回収通路を介し連なるようにして発射通路が形成されている。発射通路の下方には、該発射通路に沿って平行に発射レールが敷設され、発射通路の発射位置に打球発射装置の打球部が連続的に突入するようになっている。また、前記発射レールはその終端面がファール球回収通路に面しかつ外レールの始点と対向位置している。
【０００３】
そこで、前記発射レールの上面に一個ずつ供給されるパチンコ球は、発射レール上面の発射位置に停止し、打球発射装置の打球部に当てられ発射レールの上面に沿って発射される。発射されたパチンコ球は、外レールの始端側に着地すると共に該外レールに沿って飛走し、遊技盤面の遊技部に打ち込まれる。一方、発射レールから発射されたにも拘らず、偶然に打球力が弱くて前記遊技部に到達する前に外レールに沿って戻ってくるパチンコ球は、ファール球回収通路に落下して前覆板の前面に装着された球受皿に排出され遊技者に戻されるようになっている（例えば、特許文献１参照。）。
【先行技術文献】
【特許文献】
【０００４】
【特許文献１】特開平８−２５２３６２号公報（第３−５頁、図１、図２）
【発明の概要】
【発明が解決しようとする課題】
【０００５】
しかしながら、前記特許文献１に係るパチンコ遊技機にあっては、発射レールが発射通路の下方に設けられ、発射レールの終端面がファール球回収通路に面している。しかも、外レールの始端位置は発射レールのほぼ延長上に位置し、外レールの始端位置と発射レールの終端位置との間のファール球回収通路の幅は比較的狭い。このため、例えば発射通路の発射位置から発射されたパチンコ球であっても、その発射力が弱かったがために、遊技盤面の遊技部に打ち込まれずに外レールに沿って発射レール側へ逆戻りすると、その勢いの余りファール球回収通路を掠めて発射レールの終端面に直接衝突し、ファール球回収通路内に落下することになる。
【０００６】
ところで、前記発射レールの上面である球走行面の終端は、発射されるパチンコ球の方向性を定めるに最も重要な箇所であって、これは球飛び状態に密接に関係している。例えば、発射レールの終端面に幾度となくファール球が衝突して球走行面の終端部が上方へ反り返ってしまうと、発射され発射レールの終端位置から飛んだパチンコ球の外レール上面での着地位置にバラツキが生じ、遊技部に打ち込まれるパチンコ球の球飛び状態が不安定になる。このように、球飛び状態が不安定になると、遊技部の一定個所に狙ってパチンコ球を打ち込むことが難しくなり、遊技しずらいという遊技上致命的な欠点を生ずることになる。
【０００７】
この対応策として、ファール球が発射レールの終端面に衝突するのを避けるべく、例えば発射レールを球走行面が上向きのままで発射通路の上方へ平行に移動させることが考えられる。しかし、このように発射レールを上方へ移動させると、その終端面にファール球が衝突することを防止するのに効果的ではあるが、発射レールからパチンコ球の飛び出す位置が高くなる関係から、該パチンコ球が外レールの上面に着地したときの該パチンコ球の外レール上面に対する入射角が大きくなって、その分パチンコ球が高くバウンドすることになる。これでは、前記した内・外レール間を飛走するパチンコ球の球飛び状態が不安定になるという致命的な課題が再び浮上してしまうといった課題がある。
【０００８】
また、前記ファール球が発射レールの上面すなわち発射通路内に侵入した場合には、発射レールの上面で該ファール球と次に発射されるパチンコ球とが衝突し合って重なりいずれも排出されず、発射レールにパチンコ球が供給される度に数珠繋ぎ状に増加するばかりか、その排出に苦慮するという課題もある。
【０００９】
そこで、本発明は上記課題を解決すべくなされたもので、ファール球の発生に拘わらず打球の球飛び状態が常に良好に維持でき、しかも、発射通路内に戻ってきた場合のファール球の排出もスムーズに行なえるようにした弾球遊技機を提供することを目的とするものである。
【課題を解決するための手段】
【００１０】
かかる目的を達成するため本発明の弾球遊技機は、機枠の前側に装着され遊技盤が設置される本体枠と、前記本体枠の前面に装着され弾球を貯留する球受皿が装着される前覆板と、を備え、前記遊技盤面には遊技部を区画形成するように内レールと外レールとが渦巻き状に敷設され、前記遊技盤下方の前記本体枠の前面に発射位置から前記外レールの始端側へと連なる発射通路が形成され、打球供給装置によって前記発射通路の前記発射位置に供給される弾球を打球発射装置により発射させて前記遊技部に打ち込むようにした弾球遊技機であって、前記発射通路の上方に該発射通路と平行なガイド部材を配置し、前記発射通路の発射位置下方に前記供給される弾球を載せる球受部材を配置し、前記球受部材の上面は前記発射位置側に下傾しかつ前記本体枠を正面から見て前記ガイド部材の下面との間隔が前記発射位置から前記外レール側へ進むにつれ漸次広がり前記発射通路とは傾斜角度を異ならせており、前記球受部材の発射位置側の端部と前記ガイド部材の発射位置側の端部との間隔は前記弾球の直径寸法よりも短い隙間寸法に設定され、前記球受部材における前記発射位置の反対側に前記打球発射装置により発射されずに該球受部材から落ちる弾球を前記球受皿に導くファール球通路が形成されていることを特徴とする。
【発明の効果】
【００１１】
本発明に係る弾球遊技機は、発射通路の上方に該発射通路と平行なガイド部材を配置し、発射通路の発射位置下方に供給される弾球を載せる球受部材を配置し、球受部材の上面は発射位置側に下傾しかつ本体枠を正面から見てガイド部材の下面との間隔が発射位置から外レール側へ進むにつれ漸次広がり発射通路とは傾斜角度を異ならせるようにしている。よって、発射位置から発射した後の弾球が球受部材の上面に接触することはなく、仮に球受部材にファール球が衝突するようなことがあったとしても球飛び状態と無関係となり、これにより、常に安定した球飛び状態が維持できるという効果が有る。
【００１２】
また、本発明は、本体枠を正面から見て前記球受部材の上面とガイド部材の下面との間隔が発射位置から外レール側へ進むにつれ漸次広がり、球受部材の上面が発射通路から離れるようにしているので、ファール球が発射通路内に戻ってきた場合も、発射位置にあるパチンコ球を打ち出すだけで前記ファール球が発射通路から反れた方向へ排出されることになり、発射通路内に戻ってきたファール球のファール球通路への排出もスムーズに行なえるという効果も有る。
【図面の簡単な説明】
【００１３】
【図１】本発明に係るパチンコ遊技機の正面図。
【図２】同透明板保持枠及び前板を開いた状態の正面図。
【図３】打球発射機構の拡大斜視図。
【図４】打球発射機構部位の拡大正面図。
【図５】同拡大平面断面図。
【発明を実施するための最良の形態】
【００１４】
以下、本発明に係る弾球遊技機の実施の形態を図面に基づき詳しく説明する。本発明は、パチンコ遊技機、アレンジボール遊技機、雀球遊技機等の弾球遊技機に適用できるが、このうち、パチンコ遊技機に適用される場合について説明する。
【００１５】
図１は本発明に係るパチンコ遊技機の正面図、図２は同透明板保持枠及び前板を開いた状態の正面図である。パチンコ遊技機Ｐは縦長長方形状の機枠１を有し、該機枠１の前側に本体枠２が開閉自在に装着される。該本体枠２には、その前側から遊技盤３が着脱自在に装着される。また、遊技盤３の下方であって本体枠２の前面に、打球発射機構４が配置される。
【００１６】
前記遊技盤３の前面に、渦巻き状に敷設された内・外レール５ａ，５ｂにより囲われるようにして遊技部３ａが区画形成される。該遊技部３ａには、中央上部に文字、数字等の図柄を変動表示する電子ディスプレー６を備えた大型の変動表示装置７が装着される。また、その下方に、第一・第二始動入賞口８ａ，８ｂがそれぞれ上下に位置して配設される。第一始動入賞口８ａは、遊技部３ａに打ち込まれた弾球としてのパチンコ球が入賞することにより該パチンコ球を電気的に検出する。また、第二始動入賞口８ｂは、左右に起立または逆ハの字状に傾動する一対の開閉翼９，９を有し、同じく遊技部３ａに打ち込まれたパチンコ球が変動表示装置７の一側に配置される通過チャッカー１０を通過して検出され、かつ、その検出によって発生するくじに当たると、一対の開閉翼９，９が短い時間１回開くようになっている。その間にパチンコ球が開閉翼９，９間に入賞すると、該パチンコ球を電気的に検出する。そして、これら第一・第二始動入賞口８ａ，８ｂに入賞したパチンコ球が電気的に検出されると、前記電子ディスプレー６の図柄が変動を開始する。
【００１７】
前記第一・第二始動入賞口８ａ，８ｂの下方に、開閉扉１１ａが前側へ傾動して一度に多くの入賞球を発生させる大型の大入賞口１１が配設される。なお、前記第一・第二始動入賞口８ａ，８ｂに入賞して検出されかつその検出によって発生するくじに当たると、前記電子ディスプレー６に特定の当り図柄が表示されて大当りが発生し、前記開閉扉１１ａが所定時間（例えば約３０秒または大入賞口１１が１０個の入賞球を検出するまで）開放し、これが連続して所定回数（例えば１５回）繰り返される。内レール５ａの下部内側であって大入賞口１１の両側に、内レール５ａに沿ってレール飾り１２ａ，１２ｂが配置される。これらレール飾り１２ａ，１２ｂには、適宜位置に普通入賞口１３が設けられている。１４は、内レール５ａの中央下部に設けられ遊技部３ａに打ち込まれるも、入賞球となりえなかったパチンコ球をパチンコ遊技機Ｐの外部へ排出するためのアウト球口である。
【００１８】
遊技盤３を正面から見て左側は内レール５ａと外レール５ｂが一部重なり、その間にパチンコ球を飛走させて遊技部３ａに打ち込むための誘導通路１５が形成される。該誘導通路１５は、上端の球放出口１５ａを介して遊技部３ａに連なっている。また、その下端は開放され、その開放部に本体枠２の前面に設けられた打球発射機構４が臨んでいる。そこで、打球発射機構４から発射されたパチンコ球は外レール５ｂの始端位置Ｓ１側の上面に着地し、誘導通路１５に誘導されて遊技部３ａに打ち込まれることになる。この始端位置Ｓ１は、外レール５ｂの下端部であってその湾曲する上面とその下方の鉛直面との交差部である。換言すれば、始端位置Ｓ１とは、打球発射機構４から発射されたパチンコ球が外レール５ｂの上面に沿って上るか、跳ね返されて後記するファール球回収口４９ａに落下するか、の境界となる接地点をいい、外レール５ｂの下端を意味するものではない。なお、打球発射機構４については後で説明する。
【００１９】
本体枠２の前面上部に、遊技盤３の遊技部３ａが臨む透窓１６が開設された前覆板としての透明板保持枠１７が開閉自在に軸着される。該透明板保持枠１７はその横幅が本体枠２の横幅と同じ寸法を有し、透窓１６にはガラス板または合成樹脂板からなる透明板１８が装着される。また、透明板保持枠１７の下方であって本体枠２の前面に、前記打球発射機構４の前側を覆うようにして前覆板としての前板１９が開閉自在に軸着される。該前板１９の前面には、打球発射機構４に供給するパチンコ球を貯留する上部の球受皿２０が装着される。また、上部の球受皿２０の下方であって前板１９の前面に、該上部の球受皿２０から溢れるパチンコ球を貯留するための下部の球受皿２１が装着されている。その一側で本体枠２の前面に、打球発射機構４から発射されるパチンコ球の打球力を調節するための打球力調整ハンドル２２が設けられる。
【００２０】
本体枠２の前面であって打球力調整ハンドル２２の少し上方に、鍵穴２３ａが前面に露出する錠２３が設置され、また、同じ側の本体枠２に透明板保持枠１７を施錠するための施錠装置（図示せず。）が設けられている。常には、透明板保持枠１７は閉じて施錠装置により施錠されている。そして、錠２３の鍵穴２３ａに鍵（図示せず。）を入れて一方向へ回動させることにより施錠が解除されて透明板保持枠１７が開放でき、しかも、この状態で前板１９が手動で開放できるようになっている。
【００２１】
前板１９の後面には、その一側に該前板１９が閉められたとき、本体枠２の下部前面に開設された球排出口２４に接続される球受口２５が設けられる。該球受口２５は上部の球受皿２０と連通しており、貸し球や入賞球の払い出しの要求があったとき、球排出口２４及び球受口２５を介し上部の球受皿２０に貸し球や入賞球としてのパチンコ球が払い出される。また、前板１９の後面他側に、上部の球受皿２０から流入する打ち球としてのパチンコ球を前記打球発射機構４に供給するための打球供給装置２６が配置される。
【００２２】
前記打球供給装置２６は、図５に示すようにその前面に上部の球受皿２０の球整流通路２０ａの流下端と連なる球入口２７ａが開設される。また、打球供給装置２６の内部に、上流端が該球入口２７ａと連通し、かつ、下流端が後面に開設され打球発射機構４の後記する球受部材４３に対応して位置させた球出口２７ｂと連通する球送通路２８が形成される。そして、該球送通路２８の一側に、球整流通路２０ａから流入するパチンコ球をソレノイド（図示せず。）などの電気的駆動手段により水平面内で往復回動させ球出口２７ｂを介して１個ずつ後記する発射位置３８へ供給する球送り部材２９が軸着されている。
【００２３】
次に、図３、図４に基づき本発明に係る打球発射機構４について詳しく説明する。打球発射機構４は本体枠２の下部前面２ａに当接される取付基板３０を有し、該取付基板３０はビス３１により所定の位置に固着される。該取付基板３０には、その前面に外レール５ｂの始端位置Ｓ１から下方へ斜めに延びる接線に沿うようにして発射通路３２が形成される。そして、該発射通路３２の上方に該発射通路３２に沿うようにして、しかも、発射通路３２と平行なガイド部材３３が配置される。
【００２４】
該ガイド部材３３は非磁性体であるステンレス板を屈曲させて形成され、長手方向に対し直交する断面が逆Ｍ字型をなし、その下面の断面逆Ｖ型に窪んだ凹溝３３ａ内面が打球であるパチンコ球を規制する球規制面３３ｂとなっている。この場合、パチンコ球の飛走軌道を基準とし該飛走軌道に対して直交する方向で外レール５ｂの始端位置Ｓ１よりガイド部材３３における球規制面３３ｂの終端位置Ｅがほぼパチンコ球の直径寸法分上方へずれ、該ガイド部材３３がその終端位置Ｅ側を上げかつ始端位置Ｓ側を下げた傾斜状態で保持されている。また、その上面であってガイド部材３３内に、合成樹脂製の保持部材３４が介装される。ガイド部材３３と保持部材３４にはそれぞれ側面に対応してビス挿通孔３５，３６が貫設され、これらビス挿通孔３５，３６にビス３７を挿通すると共に取付基板３０に対応して設けられたビス孔（図示せず。）に螺子締めすることによりガイド部材３３が取付基板３０に取着される。
【００２５】
発射通路３２におけるガイド部材３３の始端位置Ｓに対応する位置が発射位置３８となり、該発射位置３８の斜め下方にソレノイドを備えた打球発射装置３９が配設される。該打球発射装置３９は箱枠状に形成され、その箱枠４０の４隅部を取付基板３０にビス４１止めすることにより固着される。また、ソレノイドの内部には高速で直線的に進退動するプランジャー４２が配設され、該プランジャー４２の先端がソレノイドの側壁からその前方へ突出し、その先端に発射位置３８に位置するパチンコ球をガイド部材３３の球規制面３３ｂに沿って打ち出すため、樹脂材からなる円錐台形状の打球部４２ａが取着されている。このように、発射位置３８から発射されるパチンコ球はガイド部材３３の球規制面３３ｂに沿って直線的に発射されるので、打球発射装置３９は直動タイプすなわちソレノイド式の打球発射装置が好ましい。
【００２６】
一方、発射通路３２における発射位置３８の下方には、パチンコ球を発射位置３８で安定して停止させておくため上面が平坦な球受部材４３がビス４４により取付基板３０の前面に固着される。該球受部材４３の上面には、発射位置３８側へ僅かに下傾する球受面４３ａと該球受面４３ａの下流端に位置し下傾する角度が球受面４３ａよりも更に大きく下傾する停止面４３ｂとが形成される。また、球受部材４３の上面すなわち球受面４３ａは、本体枠２を正面から見てガイド部材３３の下面との間隔がガイド部材３３の発射位置３８から外レール５ｂ側へ進むにつれ漸次広がるように形成され、発射通路３２とは傾斜角度が異なるようになっている。該球受面４３ａは、ほぼ水平面に近い。そして、球受部材４３の上面の下端すなわち停止面４３ｂの流下端とガイド部材３３における球規制面３３ｂの始端位置Ｓとの間に、パチンコ球の直径寸法よりも狭い隙間４５が形成され、該隙間４５を介してその内側の発射位置３８に前記プランジャー４２の打球部４２ａが介入できるようになっている。球受部材４３の発射通路３２に沿った長さは、ガイド部材３３の長さよりも短く、かつ、球受部材４３の上面にはその長さ方向に３個のパチンコ球が一列に並ぶ程度が好ましい。このような構成では、ファール球がガイド部材３３の終端位置Ｅに衝突し発射通路３２内への侵入を阻害したり、従来の発射レールのようにパチンコ球をその下方にて受ける構成とならないので、ファール球が発射通路３２内更には発射位置３８まで戻りにくくなっている。
【００２７】
球受部材４３の球受面４３ａの水平面に対する傾斜角度はガイド部材３３の水平面に対する傾斜角度よりも小さくなり、前記球受部材４３の上面である球受面４３ａの上端４６とガイド部材３３の球規制面３３ｂとの間の上下方向の寸法Ｈが、その間に２個又は３個のパチンコ球が上下方向に積み重ねられる程度の距離に設定されている。球受部材４３の発射される方向に沿った停止面４３ｂの距離は、概ねパチンコ球の直径寸法分であり、パチンコ球が１個載る程度である。球受面４３ａの傾斜角度に対して停止面４３ｂの傾斜角度の方が下傾する角度が大きいことから、打球供給装置２６の球出口２７ｂから排出されるパチンコ球は、球受部材４３の上面である球受面４３ａに載って発射通路３２の発射位置３８側へ転動し、最終的に停止面４３ｂでガイド部材３３の球規制面３３ｂとの間に挟まれ停止する。これにより、仮にファール球が発射通路３２更には発射位置３８まで戻ってきて、球受部材４３の上面で発射位置３８に供給されたパチンコ球と連続して並んでしまうような状態が起きても、ファール球と発射位置３８のパチンコ球とが、発射通路３２（発射軌道）上で共に該発射通路３２に沿って平行に並ばないので、打球発射装置３９により両パチンコ球はそれぞれ異なる方向へ飛ばされることになる。
【００２８】
ガイド部材３３の終端位置Ｅ側の下方に、上面４７ａがガイド部材３３の球規制面３３ｂと平行をなし、かつ、その間がパチンコ球の直径寸法より少し広く設定された球止部材４７がビス４８止めして取付基板３０に固着される。該球止部材４７は、内・外レール５ａ，５ｂ間の誘導通路１５を発射位置３８側へ戻るファール球を衝突させ、該ファール球を隣接するファール球回収口４９ａ下方のファール球通路としてのファール球回収通路４９に落下させるためのものである。このため、球止部材４７におけるファール球回収通路４９に接する側面４７ｂは、ほぼ鉛直面状に形成される。
【００２９】
前記球受部材４３と球止部材４７との間に、１個のパチンコ球が通過できる程度のファール球通路としての球抜通路５０が形成される。これは、例えば、発射位置３８において球受部材４３の停止面４３ｂにパチンコ球が位置する状態でこれから発射されようとしているとき、その前に既に発射されたパチンコ球が遊技部３ａに打ち込まれずに発射位置３８、すなわち、球受面４３ａに戻ってくると発射動作の邪魔になる。そこで、発射位置３８に位置するパチンコ球を発射させることにより、その戻っていたパチンコ球を球抜通路５０に落下させて球受部材４３の球受面４３ａから取り除くためである。このため、球止部材４７の球抜通路５０側には、発射位置３８側へ傾斜して前記球受部材４３の球受面４３ａからほぼ水平方向へ弾き飛ばされたパチンコ球を効率良く球抜通路５０に落下させるべく、球抜通路５０の上端入口５０ａの上方に衝突したパチンコ球を球抜通路５０へ誘導する誘導傾斜面４７ｃが設けられている。
【００３０】
前記ファール球回収通路４９は、取付基板３０の前面から前方へ突出する囲い枠５１により仕切られ、該囲い枠５１の下端に球落口５２が設けられている。該球落口５２及び球抜通路５０の下端出口５０ｂの下方に、ファール球回収通路４９や球抜通路５０から下方へ排出されたパチンコ球を受け入れる球回収樋５３が配設される。該球回収樋５３は、上端面が開放すると共に下端の前面に球通孔５４が開設されている。該球通孔５４は前記前板１９が閉じたとき、該前板１９に開設され下部の球受皿２１に連なる導入孔５５と連通するようになっており、球回収樋５３に落下したパチンコ球は総て下部の球受皿２１に貯留されることになる。
【００３１】
本発明に係るパチンコ遊技機Ｐは上記構成からなり、次に作用について説明する。上部の球受皿２０に貯留されるパチンコ球は、図５に示すように前板１９の後面に配置される打球供給装置２６の球送通路２８に流入し、球送り部材２９により１個ずつ送られると共に球出口２７ｂから球受部材４３の球受面４３ａに排出され、発射通路３２の発射位置３８に供給される。図４に示すように、発射位置３８に供給されたパチンコ球Ｂ１は停止面４３ｂに達し、ガイド部材３３の球規制面３３ｂとの間に挟まれて停止する。このように、発射位置３８では、パチンコ球Ｂ１が球受面４３ａよりも一層傾斜角度の大きい停止面４３ｂに位置するので、発射位置３８に供給されるパチンコ球Ｂ１が踊るようなことがなく落ち着き安定することになり、発射動作が行ない易い。
【００３２】
この状態で、打球力調整ハンドル２２を所定量回動させることにより、打球発射装置３９が電気的に作動してプランジャー４２が高速で進退動し、その先端の打球部４２ａが発射位置３８内に突入してその位置にあるパチンコ球Ｂ１を打球する。これにより、発射されたパチンコ球Ｂ１はガイド部材３３における断面逆Ｖ型の球規制面３３ｂに沿って前後方向のずれを規制されながら発射され、その終端位置Ｅからファール球回収口４９ａを飛び越えて外レール５ｂの上面に着地する。そして、今度は内レール５ａと外レール５ｂとの間の誘導通路１５に沿って飛走し、上端の球放出口１５ａから遊技部３ａに打ち込まれることになる。
【００３３】
そこで、図４に示すように、例えば発射位置３８から発射されてもその勢いが足りず遊技部３ａに達することができないパチンコ球Ｂ２は、誘導通路１５を発射位置３８側へ戻ることになる。このうち、勢いが弱くて外レール５ｂの始端位置Ｓ１から自重でファール球回収口４９ａ内に落下するパチンコ球Ｂ２は、ほぼ球止部材４７の側面４７ｂに衝突してファール球回収通路４９を流下し球回収樋５３に落下する。そして、落下したパチンコ球Ｂ２は、球回収樋５３を流下し球通孔５４を介して下部の球受皿２１に排出される。一方、勢いが強くファール球回収口４９ａを掠めて斜めに落下し球止部材４７とガイド部材３３との間に入ったパチンコ球Ｂ３は、球受部材４３の球受面４３ａに載る。このとき、発射位置３８に発射されるパチンコ球Ｂ１がある場合は、該パチンコ球Ｂ１が発射されることによって戻ってきたパチンコ球Ｂ３は、球受面４３ａに沿ってほぼ水平方向へ跳ね飛ばされる。跳ね飛ばされたパチンコ球Ｂ３は球止部材４７の誘導傾斜面４７ｃに衝突して球抜通路５０に入り、続いて球回収樋５３に落下する。発射位置３８から発射され前記パチンコ球Ｂ３に衝突したパチンコ球Ｂ１は、衝突したことにより勢いが弱くなっているので、発射されたとしても誘導通路１５の途中で発射位置３８側に戻り、ファール球回収口４９ａからファール球回収通路４９に落下すると共に球回収樋５３に落下する。このパチンコ球Ｂ３も、球回収樋５３を流下して下部の球受皿２１に排出される。
【００３４】
このように、本発明は、発射通路３２の上方に該発射通路３２と平行なガイド部材３３を配置すると共に発射通路３２の発射位置３８下方に上面が平坦であって供給されるパチンコ球を載せる球受部材４３を配置し、該球受部材４３の上面は発射位置３８側に下傾しかつ本体枠２を正面から見てガイド部材３３の下面との間隔が発射位置３８から外レール５ｂ側へ進むにつれ漸次広がり発射通路３２とは傾斜角度を異ならせるようにしている。よって、発射位置３８から発射した後のパチンコ球が球受部材４３の上面に接触することはなく、仮に、球受部材４３にファール球が衝突するようなことがあったとしても球飛び状態と無関係となり、これにより、常に安定した球飛び状態が維持できる。また、発射位置３８から発射された後のパチンコ球が球受部材４３の上面に接することがないので、従来の発射レールのように、打球供給装置２６から供給されるパチンコ球の度重なる落下により発射レールの球走行面が変形し、その後の球飛び状態が不安定になるという事態も解消される。
【００３５】
また、本発明は、本体枠２を正面から見て球受部材４３の上面とガイド部材３３の下面との間隔が発射位置３８から外レール５ｂ側へ進むにつれ漸次広がり、球受部材４３の上面が発射通路３２から離れるようにしているので、ファール球が発射通路３２内に戻ってきた場合も、発射位置３８にあるパチンコ球を打ち出すだけで前記ファール球が発射通路３２から反れた方向へ飛び、球抜通路５０に排出される。よって、発射通路３２内に戻ってきたファール球の排出もスムーズに行なえる。
【００３６】
更に、本発明は、従来のように発射通路３２の下方に発射レールを配設しない構成としたから、その発射通路３２の下方に有効なスペースが確保でき、これにより球受部材４３、球止部材４７や球抜通路５０の位置・形状の選定が容易となり、その設計の自由度が増す。
【００３７】
図示は省略するが、例えばガイド部材３３の上面であって発射位置Ｓ部位を含めた所定長さに亘り、磁石片を配設するようにしても良い。該磁石片の磁力の強さは、発射位置にあるパチンコ球が吸着された状態で下に落ちない範囲であり、かつ、発射された後はパチンコ球内の残留磁気がほとんど消える範囲で設定される。そこで、発射位置にパチンコ球を停止しておく部材を設ければ、打球供給装置２６から供給されるパチンコ球は磁石片に吸着されて発射位置３８に導かれる。よって、本発明のような球受部材４３を配設する必要がなくなり、そのスペースが簡素化され有効利用が図られる。
【００３８】
なお、前覆板として透明板保持枠１７、前板１９を示したが、これらに限られるものではなく、例えば本体枠２のほぼ前面全体を覆うように前板１９が一体に設けられる透明板保持枠１７であっても良い。また、上・下部の球受皿２０，２１という二個の球受皿を備えたパチンコ遊技機について説明したが、一個の球受皿しか備えてないパチンコ遊技機についても、本発明が適用できることは勿論である。
【符号の説明】
【００３９】
１              機枠
２              本体枠
３              遊技盤
３ａ            遊技部
５ａ            内レール
５ｂ            外レール
１９            前覆板（前板）
２０            上部の球受皿
２１            下部の球受皿
３２            発射通路
３３            ガイド部材
３８            発射位置
３９            打球発射装置
４３            球受部材
４９            ファール球回収通路
５０            球抜通路
Ｂ１〜Ｂ３      弾球（パチンコ球）
Ｐ              弾球遊技機（パチンコ遊技機）
【図１】
0005422361.tif 000002
【図２】
0005422361.tif 000003
【図３】
0005422361.tif 000004
【図４】
0005422361.tif 000005
【図５】
0005422361.tif 000006